(57)【特許請求の範囲】
【請求項１】
遊技領域の中央に設けられて遊技盤の裏面側から取り付けられた映像表示装置と、前記映像表示装置の外周部に設けられて遊技盤の表面側から取り付けられた合成樹脂製の図柄表示装置とを備えたパチンコ機において、
前記図柄表示装置は、頂点が形成された屋根部を備え、
前記屋根部は、頂点が遊技者側から見て前記映像表示装置の中央部よりも右側に位置するように配置されて、更に該頂点から滑らかに左下がりに形成されていることを特徴とするパチンコ機。
【発明の詳細な説明】
【０００１】
【発明の属する技術分野】
本発明は、遊技領域のほぼ中央に設けられた構造物の外周部に保護カバーが設けられるパチンコ機に関し、特に、保護カバーの屋根部に頂点が形成され、その頂点が遊技者側から見て中央部よりも右側に位置することにより、より多くの発射球を遊技領域の遊技者側から見て左側に落下させることができ、遊技者は安定したパチンコゲームを行うことが可能になるとともに、遊技者により興趣を起こさせることが可能なパチンコ機に関するものである。
【０００２】
【従来の技術】
従来より、パチンコ機の遊技領域のほぼ中央には、ＣＲＴ（Cathode Ray Tube）やＬＣＤ（Liquid Crystal Display）等を用いた種々の図柄示装置や、開閉部材を所定角度範囲を以て回動変化させる羽根式等の可動入賞装置等が取り付けられている。そして、これらの図柄表示装置や可動入賞装置の外周部にはＣＲＴ、ＬＣＤ、及び開閉部材等を保護するために保護カバーが設けられている。そして、前記保護カバーの屋根部の周縁にはパチンコ球の落下を変化させるための遊技くぎが所定位置に打設されている。また、保護カバーの屋根部はパチンコ球が引っかからないように外側下がりの滑らかな面が左右対称に形成されている。したがって、保護カバーの上方向から落下してくるパチンコ球は、遊技くぎに当たって、不規則に落下方向を変えて落下し、また、保護カバーの屋根部に落下したパチンコ球は、屋根部の両肩部の面に沿って各々左右の下方向へ落下し、落下方向先の遊技くぎに当たって、不規則に落下方向を変えて落下する。
【０００３】
従来のパチンコ機の前記保護カバーの屋根部に落下したパチンコ球の転動軌跡の例を図５に基づいて説明する。図５は従来のパチンコ機の図柄表示装置の保護カバーにおいて、屋根部に落下するパチンコ球の転動軌跡の例を一部分拡大して示す正面図である。
図５において、遊技領域のほぼ中央に配設されたＡＢＳ樹脂等の合成樹脂により形成された図柄表示装置１１８は、特別図柄を表示する映像表示装置１１９が遊技盤の裏面側から設けられている。また、図柄表示装置１１８の上側には天入賞口１２０が設けられ、遊技盤裏面の不図示の賞球樋に連通されている。また、図柄表示装置１１８の両肩部１２１、１２２は、図柄表示装置１１８の中央部に対してほぼ対称に形成されるとともに、外側へ滑らかに下がっており、各肩部１２１、１２２の表面はほぼ平らに形成されている。
【０００４】
次に、このように構成された図柄表示装置１１８の各肩部１２１、１２２の上方位置に当たって、各肩部１２１、１２２上を転動落下するパチンコ球の軌跡について説明する。天くぎの左端部に落下したパチンコ球Ａ１００は、図柄表示装置１１８の左上方向へ落下する。この落下したパチンコ球Ａ１０１は、左肩部１２１の上方位置に当たる。その後、当たったパチンコ球Ａ１０２は左肩部１２１上を左下方へ滑る。そして、滑り落ちるパチンコ球Ａ１０３は、左肩部１２１の下端より左下方向に飛び出す。飛び出したパチンコ球Ａ１０４は飛び出し方向に打設された遊技くぎ等に当たるまで慣性で遊技領域を転動する。また、天くぎのほぼ中央位置に落下したパチンコ球Ｂ１００は、図柄表示装置１１８の右上側から落下する。この落下したパチンコ球Ｂ１０１は、その下側に打設された遊技くぎの上方位置に当たる。その後、当たったパチンコ球Ｂ１０２は右肩部１２２の上方位置に当たる。そして、右肩部１２２に当たったパチンコ球Ｂ１０３は、右肩部１２２上を右下方へ滑り、右肩部１２２の下端より右下方向に飛び出す。飛び出したパチンコ球Ｂ１０４は飛び出し方向に打設された遊技くぎ等に当たるまで慣性で遊技領域を転動する。
よって、図柄表示装置１１８の両肩部１２１、１２２上を転動落下するパチンコ球の落下スピードは、各肩部１２１、１２２の表面との摩擦によりある程度減速されて、左下方向又は右下方向に転動落下する。
【０００５】
【発明が解決しようとする課題】
しかしながら、遊技者は一般的に遊技領域の遊技者側から見て左側にパチンコ球が落下するように打っているので、天くぎの遊技者側から見て右側部分に落下した後、図柄表示装置１１８の右肩部１２２に当たるパチンコ球をパチンコゲームに有効に利用できないという問題がある。また、一般的に遊技領域の遊技者側から見て左側に、多くのパチンコ球を安定して落下させるためには、遊技者に特別の技術が必要であるという問題がある。さらに、図柄表示装置１１８の右肩部１２２に当たるパチンコ球は、常に遊技領域の遊技者側から見て右側に普通に落下するという単調さであるため、遊技の興趣に欠けるという問題がある。
【０００６】
そこで、本発明は、上述した問題点を解決するためになされたものであり、前記保護カバーの屋根部に頂点を形成し、且つ、その頂点が遊技者側から見て中央部よりも右側に位置するように形成することにより、より多くの発射球を遊技領域の遊技者側から見て左側に落下させることができ、遊技者が安定したゲームを行えることを可能にするとともに、遊技者により興趣を起こさせることが可能なパチンコ機を提供することを目的とする。また、保護カバーの遊技者側から見て右上方に落下したパチンコ球が、保護カバーの屋根部を左側に転動していくという視覚的な変化により遊技者の興味をより惹きつけることができるパチンコ機を提供することを目的とする。
【０００７】
【課題を解決するための手段】
前記目的を達成するために、請求項１に係るパチンコ機は、遊技領域の中央に設けられて遊技盤の裏面側から取り付けられた映像表示装置と、前記映像表示装置の外周部に設けられて遊技盤の表面側から取り付けられた合成樹脂製の図柄表示装置とを備えたパチンコ機において、前記図柄表示装置は、頂点が形成された屋根部を備え、前記屋根部は、頂点が遊技者側から見て前記映像表示装置の中央部よりも右側に位置するように配置されて、更に該頂点から滑らかに左下がりに形成されていることを特徴とする。
【０００８】
このような特徴を有する請求項１に係るパチンコ機においては、遊技盤に形成された遊技領域の中央位置に遊技盤の裏面側から映像表示装置が取り付けられている。また、この映像表示装置の外周部に遊技盤の表面側から合成樹脂製の図柄表示装置が取り付けられている。また、該図柄表示装置の屋根部に頂点が形成され、該屋根部の頂点が遊技者側から見て映像表示装置の中央部よりも右側に位置するように配置されて、更に該頂点から滑らかに左下がりに形成されている。
これにより、図柄表示装置の遊技者側から見て右側上方から屋根部の頂点の左側に落下したパチンコ球は、図柄表示装置の屋根部の上を転動して、遊技領域の遊技者側から見て左側部に落下していくため、遊技領域の遊技者側から見て左側部を同時に転動するパチンコ球の個数が増加し、遊技者が安定したゲームを行うことができるとともに、遊技者により興趣を起こさせることが可能になる。また、図柄表示装置の遊技者側から見て右上方に落下したパチンコ球が、図柄表示装置の屋根部を左側に転動していくという視覚的な変化により遊技者の興味をより惹きつけることが可能となる。
また、遊技者は映像表示装置を注視する必要があり、図柄表示装置の遊技者側から見て右上方に落下したパチンコ球が、図柄表示装置の屋根部を左側に転動していくという視覚的な変化により遊技者の興味を効果的に惹きつけることができる。また、この図柄表示装置の遊技者側から見て右上方に落下するパチンコ球の多くが遊技領域の遊技者側から見て左側部に落下するため、遊技領域の遊技者側から見て左側部を同時に転動するパチンコ球の個数が増加し、映像表示装置を作動させる始動口等にパチンコ球が入賞する確率を確実に高くすることができ、遊技者が安定してゲームを行うことが可能になるとともに、遊技者により興趣を起こさせることが可能となる。
【０００９】
【００１０】
【００１１】
【発明の実施の形態】
以下、本発明に係るパチンコ機について、具体化した一実施の形態を図面を参照して詳細に説明する。
先ず、本実施形態に係るパチンコ機の全体構成について図１及び図２に基づき説明する。図１は本実施形態に係るパチンコ機全体を示した正面図である。図２は、パチンコ機１の遊技領域を示した正面図である。
図１において、パチンコ機１は、いわゆる第一種パチンコ機である。パチンコ機１は、後述する入賞口、図柄表示装置、電動役物及び、ゲート等の各種構造物が遊技盤２上に配設されている。その遊技盤２の下には、不図示の樋を介して排出される賞球を受ける上部受け皿３がスピーカ３ａを内蔵してプレート４に配設されている。そして、その上部受け皿３の下には、下部受け皿５が配設される。また、上部受け皿３に連通する不図示の球送り機構を介して上部受け皿３のパチンコ球がハンドル６に連結された不図示の発射装置へ送られるよう構成されている。
一方、遊技盤２の周りには、遊技中のエラーを表示するエラー表示ランプ７や「当たり」を表示する当たり表示ランプ８，８が設けられている。また、遊技盤２を囲んだ枠９内には、両肩部に賞球及び球切れ表示ランプ１０，１０が設けられている。
【００１２】
次に、図２において、パチンコ機１における遊技盤２上の遊技領域の構成について説明する。この遊技領域１１は、所定厚さの板材をなした遊技盤２上に入賞口などの各構造物が配設され、それを囲むように環状のレール１２が立設されて構成されている。このレール１２は、発射されたパチンコ球を遊技領域１１内に案内する重複して形成した案内路１３を構成し、右肩部にはレール１２に沿って打ち込まれるパチンコ球の進行を制限するための段差部１４を有する。そして、その段差部１４には軸１５に支持された返しゴム１６が配設されている。
【００１３】
遊技領域１１のほぼ中央には、開口部（図示されていない）が開設され、この開口部の前面側にＡＢＳ樹脂等の合成樹脂製の図柄表示装置１８が配設されている。図柄表示装置１８は、左、中、右に３分割された特別図柄を表示する映像表示装置１９が遊技盤２の裏面側から設けられ、また、図柄表示装置１８の上方に一面の可変表示手段である図柄表示器２０が設けられている。また、図柄表示装置１８の屋根部は、頂点５０が遊技者側から見て映像表示装置１９のほぼ右端真上に位置し、左側屋根部４８は頂点５０から滑らかに左下がりに形成され、また、右側屋根部４９は頂点５０から滑らかに右下がりに形成されている（図３参照）。
一方、図柄表示装置１８の左右には入賞口２３，２４が設けられている。そして、図柄表示装置１８の両肩部には電飾ランプ付きの風車２５，２６が、また入賞口２３，２４の両側及び図柄表示装置１８の間には通常の風車２８，２９、及び２７，３０が設けられている。
【００１４】
また、図柄表示装置１８の直下には、始動口３５ａ、及びゲート３５ｂ、３５ｃが配設されている。始動口３５ａ、及びゲート３５ｂ、３５ｃは、パチンコ球の入賞を検出する検出スイッチ（図示されていない）が備えられ、この始動口３５ａ、及びゲート３５ｂ、３５ｃにパチンコ球が入賞することを検出することで映像表示装置１９を作動させる。
そして、始動口３５ａ、及びゲート３５ｂ、３５ｃの下方には、大入賞口３１が形成された特別電動役物３２が配設されている。大入賞口３１は、横幅を持った上方に開口する開閉扉３３が、始動口３５ａ、及びゲート３５ｂ、３５ｃにパチンコ球が入り、映像表示装置１９の図柄が変動した後に、所定状態を達成した場合（例えば、ＡＡＡのようにそろった場合等）に開かれる。この開閉扉３３は、不図示のソレノイドによって開口するよう構成されている。
【００１５】
そして、このような特別電動役物３２の両側上方には電飾ランプが施された下入賞口４２，４３が配設され、特別電動役物３２の直下にはレール１２に沿ってアウト口４４が開設されている。更に、レール１２に囲まれたこのような遊技領域１１には、前記各構成物とともに複数の遊技くぎが打設されてパチンコ球の複雑な流路を構成している。
【００１６】
次に、このように構成されたパチンコ機１の図柄表示装置１８の遊技者側から見て右側上方から落下して左側屋根部４８上を転動し、遊技領域１１の遊技者側から見て左側部に転動落下するパチンコ球の転動軌跡の例を図３及び図４に基づいて説明する。図３は図柄表示装置１８の遊技者側から見て右側上方から左側屋根部４８上に落下するパチンコ球の転動軌跡の例を一部分拡大して示す正面図である。図４は図柄表示装置１８の遊技者側から見て右側上方から左側屋根部４８上に落下するパチンコ球の転動軌跡の一例を一部分拡大して示す斜視図である。
図３において、天くぎ５１ｄと天くぎ５１ｅとの間から図柄表示装置１８の左側屋根部４８上に落下したパチンコ球の転動軌跡の一例をパチンコ球Ｃ１〜Ｃ６に示す。各天くぎ５１ａ〜５１ｅ上に遊技者側から見て左上方向から転動してきたパチンコ球Ｃ１は、天くぎ５１ｄと天くぎ５１ｅの間を矢印Ａ１のように落下する。この落下したパチンコ球Ｃ２は、そのまま下方に転動落下する。この落下したパチンコ球Ｃ３は、図柄表示装置１８の屋根部のほぼ頂点５０の左側に当たる。その後、当たったパチンコ球Ｃ４は、図柄表示装置１８の左側屋根部４８上を左下方に転動していく。そして、左側屋根部４８上を左下方に転動するパチンコ球Ｃ５は、左側屋根部４８の左端縁部に達する。次に、左端縁部に達したパチンコ球Ｃ６は、転動速度に応じて慣性により遊技領域１１の遊技者側から見て左側下方に飛び出し、転動落下する。
また、遊技者側から見て天くぎ５１ｅの右側から図柄表示装置１８の左側屋根部４８上に落下したパチンコ球の転動軌跡の他の例をパチンコ球Ｄ１〜Ｄ３及びＣ３〜Ｃ６に示す。遊技者側から見て天くぎ５１ｅの右側に落下したパチンコ球Ｄ１は、矢印Ａ２のように下方に落下する。この下方に落下したパチンコ球Ｄ２は、その下側に打設されている遊技くぎ５１ｈに当たる。その後、当たったパチンコ球Ｄ３は、矢印Ａ３のように遊技くぎ５１ｆと遊技くぎ５１ｇとの間を通り、図柄表示装置１８の屋根部のほぼ頂点５０の左側に当たる。そして、当たったパチンコ球は、前記パチンコ球Ｃ３〜Ｃ６とほぼ同じ転動軌跡を辿り、左側屋根部４８上を左下方に転動し、左側屋根部４８の左端縁部から転動速度に応じて慣性により遊技領域１１の遊技者側から見て左側下方に飛び出し、転動落下していく。
【００１７】
また、図４において、発射球が図柄表示装置１８の左側屋根部４８上に落下した後、遊技領域１１の遊技者側から見て左側部に落下するパチンコ球の軌跡の一例をパチンコ球Ｅ１〜Ｅ１２に示す。
図柄表示装置１８の遊技者側から見て右上に転動してきたパチンコ球Ｅ１→Ｅ４は、図柄表示装置１８のほぼ頂点５０に当たる。そして、この頂点５０に当たったパチンコ球Ｅ４は、図柄表示装置１８の左側屋根部４８上を左方向に転動する。この左側屋根部４８上を左下方（矢印Ｂ１方向）に転動するパチンコ球Ｅ４→Ｅ７は、左側屋根部４８の左端縁部まで速度を減速されながら転動する。そして、左側屋根部４８の左端縁部に達したパチンコ球Ｅ８は、転動速度を減速され、図柄表示装置１８の左端下方へＥ８→Ｅ１２のように転動落下する。したがって、図柄表示装置１８の下側に配設されている始動口３５ａ、ゲート３５ｂ、及び入賞口４２等にパチンコ球が入賞する確率が高くなる。
【００１８】
以上詳細に説明した通り本実施形態に係るパチンコ機１では、図柄表示装置１８の屋根部の頂点５０が、遊技者側から見て映像表示装置１９のほぼ右端真上に位置し、左側屋根部４８は遊技者側から見て頂点５０から滑らかに左下がりに形成され、また、右側屋根部４９は遊技者側から見て頂点５０から滑らかに右下がりに形成されている。
したがって、遊技者側から見て天くぎ５１ａ〜５１ｅの中央より右側部分から下方へ落下したパチンコ球のうち、多くのパチンコ球が図柄表示装置１８の屋根部の頂点５０の遊技者側から見て左側に当たった後、左側屋根部４８上を転動して、遊技領域１１の遊技者側から見て左側部に落下するため、より多くの発射球を遊技領域の遊技者側から見て左側に落下させることができ、遊技者に安定したゲームが行えることを可能にするとともに、図柄表示装置１８の下側に配設されている始動口３５ａやゲート３５ｂ等にパチンコ球が入賞する確率が高くなるため、遊技者により興趣を起こさせることが可能となる。また、遊技者側から見て図柄表示装置１８の右上方に落下したパチンコ球が、図柄表示装置１８の屋根部を左側に転動していくという視覚的な変化により遊技者の興味をより惹きつけることができる。
【００１９】
尚、本発明は前記実施形態に限定されるものではなく、本発明の要旨を逸脱しない範囲内で種々の改良、変形が可能であることは勿論であり、以下のようにしてもよい。
前記実施形態では図柄表示装置１８の屋根部が一体成形により形成されているが、別体にて作製し、取り外し可能にしてもよい。
【００２０】
【発明の効果】
以上説明した通り、請求項１に係るパチンコ機によれば、遊技盤に形成された遊技領域の中央位置に遊技盤の裏面側から映像表示装置が取り付けられている。また、この映像表示装置の外周部に遊技盤の表面側から合成樹脂製の図柄表示装置が取り付けられている。また、該図柄表示装置の屋根部に頂点が形成され、該屋根部の頂点が遊技者側から見て映像表示装置の中央部よりも右側に位置するように配置されて、更に該頂点から滑らかに左下がりに形成されている。
これにより、図柄表示装置の遊技者側から見て右側上方から屋根部の頂点の左側に落下したパチンコ球は、図柄表示装置の屋根部の上を転動して、遊技領域の遊技者側から見て左側部に落下していくため、遊技領域の遊技者側から見て左側部を同時に転動するパチンコ球の個数が増加し、遊技者が安定したゲームを行うことができるとともに、遊技者により興趣を起こさせることが可能なパチンコ機を提供することができる。また、図柄表示装置の遊技者側から見て右上方に落下したパチンコ球が、図柄表示装置の屋根部を左側に転動していくという視覚的な変化により遊技者の興味をより惹きつけることが可能なパチンコ機を提供することができる。
また、遊技者は映像表示装置を注視する必要があり、図柄表示装置の遊技者側から見て右上方に落下したパチンコ球が、図柄表示装置の屋根部を左側に転動していくという視覚的な変化により遊技者の興味を効果的に惹きつけることができるパチンコ機を提供することができる。また、この図柄表示装置の遊技者側から見て右上方に落下するパチンコ球の多くが遊技領域の遊技者側から見て左側部に落下するため、遊技領域の遊技者側から見て左側部を同時に転動するパチンコ球の個数が増加し、映像表示装置を作動させる始動口等にパチンコ球が入賞する確率を確実に高くすることができ、遊技者が安定してゲームを行うことが可能になるとともに、遊技者により興趣を起こさせることが可能なパチンコ機を提供することができる。
【００２１】
【図面の簡単な説明】
【図１】  本実施形態に係るパチンコ機全体を示した正面図である。
【図２】  本実施形態に係るパチンコ機の遊技領域を示した正面図である。
【図３】  本実施形態に係るパチンコ機において、図柄表示装置の遊技者側から見て右側上方から左側屋根部上に落下するパチンコ球の転動軌跡の例を一部分拡大して示す正面図である。
【図４】  本実施形態に係るパチンコ機において、図柄表示装置の遊技者側から見て右側上方から左側屋根部上に落下するパチンコ球の転動軌跡の一例を一部分拡大して示す斜視図である。
【図５】  従来のパチンコ機の図柄表示装置の保護カバーにおいて、屋根部に落下するパチンコ球の転動軌跡の例を一部分拡大して示す正面図である。
【符号の説明】
１            パチンコ機
２            遊技盤
１１          遊技領域
１８、１１８  図柄表示装置
１９、１１９  映像表示装置
３５ａ        始動口
４８          左側屋根部
４９          右側屋根部
５０          頂点
１２１        左肩部
１２２        右肩部
Ｃ１〜Ｃ６、Ｄ１〜Ｄ３  本実施形態のパチンコ球の転動軌跡の例
Ａ１００〜Ａ１０４、Ｂ１００〜Ｂ１０４  従来のパチンコ球の転動軌跡の例
【図１】
0003921627.tif 000002
【図２】
0003921627.tif 000003
【図３】
0003921627.tif 000004
【図４】
0003921627.tif 000005
【図５】
0003921627.tif 000006